(57)【要約】【課題】導光シートを用いたキー入力装置及び携帯端末において、極めて簡単な構成で、グループ分けされたキー群をグループごとに点灯することを可能とする。【解決手段】基板上にキーシートが配置され、このキーシート上に導光シート１６が配置され、この導光シート１６上にキートップが形成されたキーユニットが配置された構成のキー入力装置において、導光シート１６の下面１６２にはキートップに光を均等に照射するための多数の反射用凹部１６３が形成され、この反射用凹部１６３は、三角柱を横向きに配置した状態で下面１６２から切り欠いた形状となっており、導光シート１６内を横方向（導光シート１６の厚みに沿う方向）に進行してきた光源１８ａまたは１８ｂからの照射光に対して対向する面を傾斜面１６３１に形成し、光源１８ａまたは１８ｂからの照射光に対して反対側の面を垂直面１６３２に形成している。【選択図】図５
2010160760.tif 000002
【特許請求の範囲】
【請求項１】
端面のそれぞれから入射された各光源の照射光を、上面に配置されるキートップに導くための平板状に形成された導光シートであって、
前記導光シートの下面に、前記照射光を上方に反射して前記キートップに導くための複数の反射用凹部が形成され、前記複数の反射用凹部は、一方の光源からの光を上方に反射し、他方の光源からの光は上方に反射しない形状と、前記一方の光源からの光は上方に反射せず、前記他方の光源からの光を上方に反射する形状のいずれか一方の形状に形成されていることを特徴とする導光シート。
【請求項２】
請求項１に記載の導光シートにおいて、
前記反射用凹部の形状は、三角柱を横向きに配置した状態で切り欠いた形状であることを特徴とする導光シート。
【請求項３】
請求項２に記載の導光シートにおいて、
前記反射用凹部は、前記導光シート内を進行してきた照射光に対して対向する面が傾斜面に形成され、反対側の面が垂直面に形成されていることを特徴とする導光シート。
【請求項４】
請求項１に記載の導光シートにおいて、
前記反射用凹部の形状は、円柱を中心軸に沿って１／４分割した一つの分割体を横向きに配置した状態で切り欠いた形状であり、前記導光シート内を進行してきた照射光に対して対向する面が湾曲面に形成され、反対側の面が垂直面に形成されていることを特徴とする導光シート。
【請求項５】
請求項１に記載の導光シートにおいて、
前記反射用凹部の形状は、球体を中心軸に沿って１／４分割した一つの分割体を横向きに配置した状態で切り欠いた形状であり、前記導光シート内を進行してきた照射光に対して対向する面が球体面に形成され、反対側の面が垂直面に形成されていることを特徴とする導光シート。
【請求項６】
請求項１から請求項５までのいずれか１項に記載の導光シートにおいて、
前記複数の反射用凹部が前記光源を中心として放射状に並んで配置されていることを特徴とする導光シート。
【請求項７】
請求項６に記載の導光シートにおいて、
前記複数の反射用凹部は、光源に近い側の配置間隔が広く、遠い側に行くに従って次第に狭くなるように配置されていることを特徴とする導光シート。
【請求項８】
請求項６または請求項７に記載の導光シートにおいて、
前記複数の反射用凹部は、光源からの照射光に直交する方向の幅が、光源に近い側ほど狭く、遠い側に行くに従って次第に広くなるように形成されていることを特徴とする導光シート。
【請求項９】
基板上にキーシートが配置され、このキーシート上に導光シートが配置され、この導光シート上にキートップを有するキーユニットが配置され、前記導光シートの端面に対向する前記基板上にそれぞれ発光体からなる光源が配置されたキー入力装置において、
前記導光シートが請求項１から請求項８までのいずれか１項に記載の導光シートであることを特徴とするキー入力装置。
【請求項１０】
請求項９に記載のキー入力装置を搭載したことを特徴とする携帯端末。
【発明の詳細な説明】
【技術分野】
【０００１】
本発明は、両側面にそれぞれ配置された光源からの照射光を、上面に配置されたキートップに導くための平板状に形成された導光シート、及びこの導光シートを備えたキー入力装置、並びにこのキー入力装置を搭載した携帯端末に関する。
【背景技術】
【０００２】
図１７（ａ）は、照射光をキーシートに導くための従来の導光シートを備えたキー入力装置の構造の一例を示す断面図、（ｂ）は導光シートの拡大断面図、（ｃ）は導光シートの一部拡大斜視図である。ただし、（ｃ）は、導光シートの下面を上から透視した状態で示した図であるが、見易いように、後述する反射用凹部を実線で示している。
【０００３】
このキー入力装置１００は、基板１１０上に多数のキースイッチ１２０ａを備えたキーシート１２０が配置され、このキーシート１２０上にメタルドーム接点１３１を備えたメタルドーム１３０が固定用シート１３５によって接着固定され、このメタルドーム１３０を含むキーシート１２０上に導光シート１４０が配置され、この導光シート１４０上に、前記キースイッチ１２０ａに対向して下部にキー押し子１５０ｂ、上部にキートップ１５０ａが形成されたキーユニット１５０が配置されている。そして、これら積層配置されたキーシート１２０、メタルドーム１３０、導光シート１４０及びキーユニット１５０の左右両側（図では右側のみ図示している）の基板１１０上に、ＬＥＤ等からなる光源１６０がそれぞれ配置された構成となっている。
【０００４】
導光シート１４０には、図１７（ｂ）に示すように、その下面１４１に、光源１６０からの照射光を上方に反射してキートップ１５０ａに導くための多数の反射用凹部１４５が形成されている。この反射用凹部１４５は、図１７（ｃ）に示すように、円錐形状に形成されており、一定の間隔を存して規則正しく配置されている。反射用凹部１４５をこのような円錐形状に形成することで、光源１６０からの照射光がどの方向から来ても、全ての光を上方に向けて反射できるため、反射効率を向上させることができるようになっている。
【０００５】
なお、このような円錐形状の反射用凹部１４５を備えた導光シート１４０の構造は、例えば特許文献１に記載されている。
【先行技術文献】
【特許文献】
【０００６】
【特許文献１】特開２００２−４９４３９号公報
【発明の概要】
【発明が解決しようとする課題】
【０００７】
導光シート１４０の反射用凹部１４５の形状を上記のように円錐形状とした場合、例えば、キーの機能やグループ分けに応じて個々のキーを個別に点灯したいという要望があった場合でも、光源１６０を点灯することで全てのキートップが光ることとなり、個別の点灯、特にグループ分けされたグループごとの点灯を実現することができないといった問題があった。
【０００８】
本発明はかかる問題点を解決すべく創案されたもので、その目的は、導光シートを用いたキー入力装置及び携帯端末において、極めて簡単な構成で、グループ分けされたキー群をグループごとに点灯することのできる導光シート、及びこの導光シートを備えたキー入力装置、並びにこのキー入力装置を搭載した携帯端末を提供することにある。
【課題を解決するための手段】
【０００９】
上記課題を解決するため、本発明の導光シートは、端面のそれぞれから入射された光源の照射光を、上面に配置されたキートップに導くための平板状に形成された導光シートであって、前記導光シートの下面に、前記照射光を上方に反射して前記キートップに導くための複数の反射用凹部が形成され、前記複数の反射用凹部は、一方の光源からの光を上方に反射し、他方の光源からの光は上方に反射しない形状と、前記一方の光源からの光は上方に反射せず、前記他方の光源からの光を上方に反射する形状のいずれか一方の形状に形成されていることを特徴としている。
【００１０】
また、本発明のキー入力装置は、基板上にキーシートが配置され、このキーシート上に導光シートが配置され、この導光シート上にキートップを有するキーユニットが配置され、前記導光シートの端面に対向する前記基板上にそれぞれ発光体からなる光源が配置されたキー入力装置において、前記導光シートの下面に、前記光源からの照射光を上方に反射して前記キートップに導くための複数の反射用凹部が形成されるとともに、前記反射用凹部は、前記一方の光源からの光を上方に反射し、前記他方の光源からの光は上方に反射しない形状に形成されていることを特徴としている。
【００１１】
すなわち、複数の反射用凹部のうち、一方の光源からの光を上方に反射し、他方の光源からの光は上方に反射しない形状の反射用凹部を第１反射用凹部とし、一方の光源からの光は上方に反射せず、他方の光源からの光を上方に反射する形状の反射用凹部を第２反射用凹部とすると、キートップの下部に配置された反射用凹部が第１反射用凹部である場合、このキートップは、一方の側に配置された光源（第１光源という。）からの照射光で点灯し、他方の側に配置された光源（第２光源という。）からの照射光では点灯しない構成となる。一方、キートップの下部に配置された反射用凹部が第２反射用凹部である場合、このキートップは、第２光源からの照射光で点灯し、第１光源からの照射光では点灯しない構成となる。つまり、第１反射用凹部が配置されたキートップ群は第１光源からの照射光で点灯する第１グループとなり、第２反射用凹部が配置されたキートップ群は第２光源からの照射光で点灯する第２グループとなる。これにより、発光させる光源によって、点灯させるキートップを分けることが可能となる。
【００１２】
ここで、反射用凹部の形状について具体的に説明する。
【００１３】
反射用凹部の形状は、三角柱を横向きに配置した状態で切り欠いた形状となっており、導光シート内を進行してきた照射光に対して対向する面を傾斜面に形成し、照射光と反対側の面を垂直面に形成したものである。反射用凹部をこのような形状とすることで、傾斜面では横方向に進行してきた照射光を上方のキートップに向けて反射する一方、反対側の面に向かって照射光が進行してきた場合には、垂直面で跳ね返され、上方には反射されないことになる。
【００１４】
また、本発明では、反射用凹部の形状は、円柱を中心軸に沿って１／４分割した一つの分割体を横向きに配置した状態で切り欠いた形状となっており、導光シート内を進行してきた照射光に対して対向する面を湾曲面（１／４分割した一つの分割体の分割湾曲面）に形成し、反対側の面を垂直面（１／４分割した一つの分割体の一つの分割垂直面）に形成したものであってもよい。さらに、反射用凹部の形状は、球体を中心軸に沿って１／４分割した一つの分割体を横向きに配置した状態で切り欠いた形状となっており、導光シート内を進行してきた照射光に対して対向する面を球体面（１／４分割した一つの分割体の分割球体面）に形成し、反対側の面を垂直面（１／４分割した一つの分割体の一つの分割垂直面）に形成したものであってもよい。このように対向面を湾曲面または球体面に形成することで、導光シート内を進行してきた照射光を上方に反射する場合、反射方向を拡散（２次元方向または３次元方向に拡散）させることができるので、上部に配置されたキートップ全体をムラなく点灯することができる。また、拡散させる分、光量も増えることから、光源の駆動電力を低減できるため、省電力化も可能となる。
【００１５】
また、本発明では、複数の反射用凹部の配置構成として、前記光源を中心として放射状に並べて配置するのがよい。すなわち、光の照射方向に沿って配置することで、より多くの照射光を漏れ少なく上方に反射させることができるため、光源の駆動電力を低減しても、キートップの点灯時の明るさを十分に確保することが可能となる。これにより、さらなる省電力化が可能となる。
【００１６】
また、本発明では、複数の反射用凹部は、光源に近い側の配置間隔が広く、遠い側に行くに従って次第に狭くなるように配置した構成としてもよい。すなわち、光源に近い側では照射光の光量は十分であるが、光源から遠くなる程、照射光が拡散していくため光量が低減していくことになる。従って、光源より遠くなる程、反射用凹部の配置間隔を狭めることで、キートップの下により多くの反射用凹部を配置して、より多くの光を上方に反射させる構成としている。つまり、照射光の光量不足を反射量の多さでカバーすることができるので、光源の近くに配置されるキートップと、光源から離れた位置に配置されるキートップとで、点灯時の明るさをほぼ同じ明るさに保つことが可能となる。
【００１７】
また、本発明では、複数の反射用凹部は、光源からの照射光に直交する方向の幅が、光源に近い側ほど狭く、遠い側に行くに従って次第に広くなるように形成した構成としてもよい。すなわち、光源より遠くなる程、反射用凹部の幅を広くすることで、キートップの下により幅広の反射用凹部を配置して、より多くの光を上方に反射させる構成としている。つまり、照射光の光量不足を反射量の多さでカバーすることができるので、光源の近くに配置されるキートップと、光源から離れた位置に配置されるキートップとで、点灯時の明るさをほぼ同じ明るさに保つことが可能となる。
【００１８】
また、このような導光シートを用いたキー入力装置を携帯端末に搭載することで、キートップを複数パターンに点灯表示できる携帯端末を提供することができる。
【発明の効果】
【００１９】
本発明は上記のように構成したので、導光シートの反射用凹部の形状を工夫するといった極めて簡単な構成で、キーユニットのグループ分けされたキー群をグループごとに個別に点灯することができる。
【図面の簡単な説明】
【００２０】
【図１】本発明の導光シートを備えたキー入力装置を実装した携帯端末の一実施形態を示す外観図である。
【図２】図１に示す携帯端末の分解斜視図である。
【図３】図１に示す携帯端末の一部拡大断面図である。
【図４】実施形態における光拡散パターンの基本構成を示す説明図である。
【図５】反射用凹部を複数個配置した構成の導光シートの斜視図である。
【図６】（ａ）は反射用凹部を複数個配置した構成の導光シートの平面図、（ｂ）は断面図、（ｃ），（ｄ）は点灯のイメージ図である。
【図７】実施形態における導光シートの一部拡大断面図である。
【図８】第１光源が発光した場合と、第２光源が発光した場合のキーユニットの各キートップの点灯状態をイメージ的に示した説明図である。
【図９】反射用凹部の実際の配置構成例（配置構成例１）を示しており、（ａ）はキーユニットの概略平面図、（ｂ）は１つのキートップ部分を拡大して示す概略平面図である。
【図１０】反射用凹部の配置構成例２を示す説明図である。
【図１１】反射用凹部の配置構成例３を示す説明図である。
【図１２】反射用凹部の配置構成例４を示す説明図である。
【図１３】（ａ）は他の形状の反射用凹部を複数個配置した構成の導光シートの斜視図、（ｂ）は断面図である。
【図１４】他の形状の反射用凹部の拡大斜視図である。
【図１５】（ａ）はさらに他の形状の反射用凹部を複数個配置した構成の導光シートの平面図、（ｂ）は断面図である。
【図１６】さらに他の形状の反射用凹部の拡大斜視図である。
【図１７】従来の導光シートを備えたキー入力措置を実装した携帯端末の説明図であり、（ａ）は一部拡大断面図、（ｂ）は導光シートの一部拡大断面図、（ｃ）は導光シートの概略斜視図である。
【発明を実施するための形態】
【００２１】
以下、本発明の実施の形態について、図面を参照して説明する。
【００２２】
図１は、本発明の導光シートを備えたキー入力装置を実装した携帯端末の一実施形態を示す外観図、図２は図１に示す携帯端末の分解斜視図、図３は一部拡大断面図である。携帯端末としては、携帯電話機、電子辞書、ＰＤＡなどの各種端末があるが、ここではＰＤＡの構成を例に挙げて説明する。
【００２３】
本実施形態の携帯端末は、第１筐体１と第２筐体２とが、スライド機構部３を介して一方向Ｘにスライド移動可能な構成となっている。また、第２筐体２は、第１筐体１の上面１１に形成された凹部１２に嵌まり合うように配置されており、この凹部１２の側面１２ａと、第２筐体２の対向する側面２２ａとの間にスライド機構部３が配置されている。すなわち、スライド機構部３は、凹部１２の左側の側面１２ａと第２筐体２の対向する左側の側面２２ａとの間、及び凹部１２の右側の側面１２ａと第２筐体２の対向する右側の側面２２ａとの間にそれぞれ配置されている。
【００２４】
そして、第１筐体１の凹部表面１２ｂを完全に覆うように第２筐体２が重なりあった状態の第１姿勢（図示省略）と、第１筐体１の凹部表面１２ｂの上部を除く全体を露出させるように一部が重なりあった状態の第２姿勢（図１に示す状態）との間で、第１筐体１と第２筐体２が互いにスライド移動可能となっている。
【００２５】
また、第２筐体２の表面には、液晶パネル２３等を含む表示部が配置されている。また、第１筐体１の左側の上面１１には、電源キー等を含む各種機能キー１３ｂが配置されており、第１筐体１の凹部表面１２ｂには、文字キーや数字キー等の機能キー１３ａを含む操作部（キー入力装置）が配置されている。
【００２６】
第１筐体１は、図２及び図３に示すように、上側筐体１ａと下側筐体１ｂとに分割されており、下側筐体１ｂに配置されている基板１０上に、多数のキースイッチ１４ａ，１４ａ，・・・を備えたキーシート１４が配置され、このキーシート１４の各キースイッチ１４ａ上にメタルドーム接点１５ａを備えたメタルドーム１５が固定用シート１５１によって接着固定（ただし、図２ではメタルドーム１５の図示を省略している。）され、このメタルドーム１５を含むキーシート１４上に導光シート１６が配置され、この導光シート１６上に、前記キースイッチ１４ａに対向して下部にキー押し子１７ｂ、上部にキートップ１７ａが形成されたキーユニット１７が配置されている。また、導光シート１６には、前記キートップ１７ａに対向する位置に、光を反射、拡散させてキートップ１７ａに光を均等に照射するための光拡散パターン１６ａが形成されている。そして、これら積層配置されたキーシート１４、メタルドーム１５、導光シート１６及びキーユニット１７の左右両側の基板１０上に、ＬＥＤ等からなる光源１８（１８ａ，１８ｂ）がそれぞれ配置（本実施形態では、左右に１個ずつ計２個配置）された構成となっている。
【００２７】
図４は、本実施形態における光拡散パターン１６ａの基本構成を示す説明図であり、（ａ）は斜視図、（ｂ）は断面図である。ただし、図４（ａ）は、導光シート１６の下面１６２を上から透視した状態で示した図であるが、見易いように、反射用凹部１６３を実線で示している。
【００２８】
本実施形態では、光拡散パターン１６ａは、導光シート１６の下面１６２に形成された多数の反射用凹部１６３（ただし、図４では１個のみ図示している。）で構成されている。
【００２９】
この反射用凹部１６３は、三角柱を横向きに配置した状態で下面１６２から切り欠いた形状となっており、導光シート１６内を横方向（導光シート１６の厚みに沿う方向）に進行してきた光源１８からの照射光に対して対向する面を傾斜面１６３１に形成し、光源１８からの照射光に対して反対側の面を垂直面１６３２に形成したものである。反射用凹部１６３をこのような形状とすることで、傾斜面１６３１では横方向に進行してきた照射光を上方のキートップに向けて反射する一方、反対側の垂直面１６３２に向かって進行してきた照射光（図４（ｂ）では図中右方向から進行してきた照射光）は、垂直面１６３２で元来た方向に跳ね返され、上方には反射されることはない。
【００３０】
図５及び図６は、上記構成の反射用凹部１６３を複数個配置した構成を示す説明図であり、図５は斜視図、図６（ａ）は平面図、（ｂ）は断面図、（ｃ），（ｄ）は点灯のイメージ図である。ただし、図５は、導光シート１６の下面１６２を上から透視した状態で示した図であるが、見易いように、反射用凹部１６３を実線で示している。また、図５及び図６も、反射用凹部１６３の基本構成を説明する図であるため、反射用凹部１６３の数については縦４個、横３個の計１２個を一定の間隔で規則正しく配置した簡易な配置構成として以下説明する。
【００３１】
本実施形態では、上記のような形状の反射用凹部１６３が、傾斜面１６３１が図中左下側に配置された第１光源１８ａに向くように配置された第１反射用凹部１６３ａと、傾斜面１６３１が図中右上側に配置された第２光源１８ｂに向くように配置された第２反射用凹部１６３ｂの２種類、形成されている。
【００３２】
すなわち、第１反射用凹部１６３ａは、第１光源１８ａからの照射光を上方に反射し、第２光源１８ｂからの光は上方に反射しない配置構成となっている。また、第２反射用凹部１６３ｂは、第２光源１８ｂからの照射光を上方に反射し、第１光源１８ａからの光は上方に反射しない配置構成となっている。これにより、図７及び図６（ｃ），（ｄ）に示すように、キートップ１７ａ１の下部に配置された反射用凹部１６が第１反射用凹部１６３ａである場合には、このキートップ１７ａ１は、第１光源１８ａからの照射光で点灯し（図７（ａ）及び図６（ｃ）参照）、第２光源１８ｂからの照射光では点灯しない（図７（ｂ）及び図６（ｄ）参照）構成となる。一方、キートップ１７ａ２の下部に配置された反射用凹部１６３が第２反射用凹部１６３ｂである場合には、このキートップ１７ａ２は、第２光源１８ｂからの照射光で点灯し（図７（ｂ）及び図６（ｄ）参照）、第１光源１８ａからの照射光では点灯しない（図７（ａ）及び図６（ｃ）参照）構成となる。つまり、第１反射用凹部１６３ａが配置されたキートップ群は第１光源１８ａからの照射光で点灯する第１グループを構成し、第２反射用凹部１６３ｂが配置されたキートップ群は第２光源１８ｂからの照射光で点灯する第２グループを構成することになる。これにより、発光させる光源によって、点灯させるキートップ群を２つに分けることが可能となる。また、第１光源１８ａと第２光源１８ｂの両方を発光させた場合には、図７（ｃ）に示すように、全てのキートップ１７ａが点灯することになる。
【００３３】
なお、図８は、第１光源１８ａが発光した場合と、第２光源１８ｂが発光した場合の、キーユニット１７の各キートップ１７ａの点灯（すなわち、バックライトによる照明）状態をイメージ的に示した図である。すなわち、図８（ａ）は、第１光源１８ａを発光させた場合に第１グループに属するキートップ群１７ａ１，・・・が点灯している状態（図８（ａ）中、斜線を付して示す。）を示しており、図８（ｂ）は、第２光源１８ｂを発光させた場合に第２グループに属するキートップ群１７ａ２，・・・が点灯している状態（図８（ｂ）中、斜線を付して示す。）を示している。
【００３４】
図９は、上記のように形成された反射用凹部１６３の実際の配置構成例（配置構成例１）を示しており、同図（ａ）はキーユニット１７の概略平面図、同図（ｂ）は１つのキートップ１７ａ１部分を拡大して示す概略平面図である。なお、図９は、第１光源１８ａと第１グループに属する１つのキートップ１７ａ１の下部に配置された第１反射用凹部１６３ａとの配置関係を示しているが、第２光源１８ｂと第２グループに属する１つのキートップ１７ａ２（図７参照）の下部に配置された第１反射用凹部１６３ｂとの配置関係についても同様である。
【００３５】
本実施形態では、第１反射用凹部１６３ａは、第１光源１８ａを中心として放射状に並べて配置されている。すなわち、光の照射方向（光軸方向）に沿って並べて配置することで、より多くの照射光を漏れ少なく上方に反射させることができるため、キートップの点灯時の明るさを十分に確保することが可能となる。
【００３６】
図９（ｂ）に示す例では、１つのキートップ１７ａ１下部において、複数の第１反射用凹部１６３ａが放射状に３例配置されている。すなわち、キートップ１７ａの形状に合わせて、外側の列（図９（ｂ）では上側の例）には３個の第１反射用凹部１６３ａが光軸方向に一定の間隔を存して配置され、中央の列には５個の第１反射用凹部１６３ａが光軸方向に一定の間隔を存して配置され、内側の列（図９（ｂ）では下側の列）には６個の第１反射用凹部１６３ａが光軸方向に一定の間隔を存して配置されている。これにより、第１光源１８ａを発光させると、このキートップ１７ａ１の全体がほぼ均等な明るさで点灯（照明）されることになる。
【００３７】
＜反射用凹部１６３の他の配置構成例（配置構成例２）＞
図１０は、反射用凹部１６３の配置構成例２を示している。なお、図１０も、第１光源１８ａと第１グループに属する１つのキートップ１７ａ１の下部に配置された第１反射用凹部１６３ａとの配置関係を示しているが、第２光源１８ｂと第２グループに属する１つのキートップ１７ａ２の下部に配置された第１反射用凹部１６３ｂとの配置関係についても同様である。
【００３８】
この配置構成例２は、複数の第１反射用凹部１６３ａが、第１光源１８ａに近い側の配置間隔（Ｔ）が広く（Ｔ１）、遠い側に行くに従って次第に配置間隔が狭く（Ｔ２：Ｔ２＜Ｔ１）なるように配置されている。すなわち、光源に近い側では照射光の光量は十分であるが、光源から遠くなる程、照射光が拡散していくため光量が低減していくことになる。従って、光源より遠くなる程、反射用凹部の配置間隔を狭めることで、光源から遠いキートップの下により多くの反射用凹部を配置して、より多くの光を上方に反射させる構成としたものである。つまり、照射光の光量不足を反射量の多さでカバーすることができるので、光源の近くに配置されるキートップと、光源から離れた位置に配置されるキートップとで、点灯時の明るさをほぼ同じ明るさに保つことが可能となる。また、光源から遠い側のキートップにも十分な光量が確保できることから、さらなる省電力化が可能となる。
【００３９】
＜反射用凹部１６３の他の配置構成例（配置構成例３）＞
図１１は、反射用凹部１６３の配置構成例３を示している。なお、図１１も、第１光源１８ａと第１グループに属する１つのキートップ１７ａ１の下部に配置された第１反射用凹部１６３ａとの配置関係を示しているが、第２光源１８ｂと第２グループに属する１つのキートップ１７ａ２の下部に配置された第１反射用凹部１６３ｂとの配置関係についても同様である。
【００４０】
この配置構成例３は、複数の第１反射用凹部１６３ａを、第１光源１８ａからの照射光（光軸方向）に直交する方向の幅（Ｗ）を、光源に近い側ほど狭く（Ｗ１）し、遠い側に行くに従って次第に広く（Ｗ２：Ｗ２＞Ｗ１）なるように形成している。ただし、この配置構成例３では、光軸方向の配置間隔は一定としている。すなわち、光源より遠くなる程、反射用凹部の幅（Ｗ）を広くすることで、キートップの下により幅広の反射用凹部を配置して、より多くの光を上方に反射させる構成としている。つまり、照射光の光量不足を反射量の多さでカバーすることができるので、光源の近くに配置されるキートップと、光源から離れた位置に配置されるキートップとで、点灯時の明るさをほぼ同じ明るさに保つことが可能となる。また、光源から遠い側のキートップにも十分な光量が確保できることから、さらなる省電力化が可能となる。
【００４１】
＜反射用凹部１６３の他の配置構成例（配置構成例４）＞
図１２は、反射用凹部１６３の配置構成例４を示している。なお、図１２も、第１光源１８ａと第１グループに属する１つのキートップ１７ａ１の下部に配置された第１反射用凹部１６３ａとの配置関係を示しているが、第２光源１８ｂと第２グループに属する１つのキートップ１７ａ２の下部に配置された第１反射用凹部１６３ｂとの配置関係についても同様である。
【００４２】
この配置構成例４は、上記の配置構成例２と配置構成例３とを組み合わせたものである。すなわち、複数の第１反射用凹部１６３ａを、第１光源１８ａに近い側の配置間隔（Ｔ）を広く（Ｔ１）、かつ、光軸方向に直交する方向の幅（Ｗ）を狭く（Ｗ１）し、遠い側に行くに従って次第に配置間隔を狭く（Ｔ２：Ｔ２＜Ｔ１）、かつ、幅（Ｗ）を広く（Ｗ２：Ｗ２＞Ｗ１）するように配置したものである。このように反射用凹部の配置間隔と幅とを設定することで、光源から遠い側のキートップにも十分な光量が確保できることから、さらなる省電力化が可能となる。
【００４３】
＜反射用凹部１６３の形状の他の具体例＞
図１３及び図１４は、反射用凹部１６３の形状の他の具体例を示している。
【００４４】
この具体例では、反射用凹部１６３（１６３ａ，１６３ｂ）は、導光シート１６の下面１６２を、円柱を中心軸に沿って１／４分割した一つの分割体を横向きに配置した状態で切り欠いた形状となっている。そして、導光シート１６内を横方向に進行してきた照射光に対して対向する面を湾曲面（１／４分割した一つの分割体の分割湾曲面）１６３５に形成し、この照射光とは反対側の面を、矩形形状の垂直面（１／４分割した一つの分割体の一つの分割垂直面）１６３６に形成している。このように対向面を湾曲面１６３５に形成することで、導光シート１６内を横方向に進行してきた照射光を湾曲面１６３５で上方に反射することができる。この場合、図１４に示すように、湾曲面１６３５の当たる位置によって反射方向を拡散（この場合は２次元方向に拡散）させることができるので、上部に配置されたキートップ全体をムラなく点灯することが可能となる。
【００４５】
＜反射用凹部１６３の形状のさらに他の具体例＞
図１５及び図１６は、反射用凹部１６３の形状のさらに他の具体例を示している。
【００４６】
この具体例では、反射用凹部１６３（１６３ａ，１６３ｂ）は、導光シート１６の下面１６２を、球体を中心軸に沿って１／４分割した一つの分割体を横向きに配置した状態で切り欠いた形状となっている。そして、導光シート１６内を横方向に進行してきた照射光に対して対向する面を球体面（１／４分割した一つの分割体の分割球体面）１６３７に形成し、この照射光とは反対側の面を、半円弧形状の垂直面（１／４分割した一つの分割体の一つの分割垂直面）１６３８に形成している。このように対向面を球体面１６３７に形成することで、導光シート１６内を横方向に進行してきた照射光を球体面１６３７で上方に反射することができる。この場合、図１６に示すように、球体面１６３７の当たる位置によって反射方向を拡散（この場合は３次元方向に拡散）させることができるので、上部に配置されたキートップ全体をムラなく点灯することが可能となる。
【００４７】
なお、上述した実施形態では、導光シートの左右両側の２方向の端面にそれぞれ光源を配置しているが、導光シートの３方向の端面あるいは上下左右の４方向の端面にそれぞれ光源を配置して照射し、それぞれの照射方向に対して上記の反射用凹部をそれぞれ設けた構成としても良い。光源を導光シートの左右両側の２方向の端面にそれぞれ配置した場合には、キートップを３パターンに点灯表示でき、光源を導光シートの３方向（例えば、左右両側と下側等）の端面にそれぞれ配置した場合には、キートップを７パターンに点灯表示でき、光源を導光シートの上下左右の４方向の端面にそれぞれ配置した場合には、キートップを１５パターンに点灯表示できる。また、上述した実施形態では、各端面に１個の光源を配置しているが、各端面に複数の光源を配置しても良い。
【００４８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４９】
１  第１筐体
２  第２筐体
３  スライド機構部
１０  基板
１１  上面
１２  凹部
１３ａ，１３ｂ  機能キー
１４  キーシート
１４ａ  キースイッチ
１５  メタルドーム
１５ａ  メタルドーム接点
１６  導光シート
１７  キーユニット
１７ａ（１７ａ１，１７ａ２）  キートップ
１８光源
１８ａ  第１光源
１８ｂ  第２光源
２３  液晶パネル
１６２  下面
１６３反射用凹部
１６３ａ  第１反射用凹部
１６３ｂ  第２反射用凹部
１６３１  傾斜面
１６３２  垂直面
１６３５  湾曲面（分割湾曲面）
１６３７  球体面（分割球体面）
１６３６，１６３８  垂直面（分割垂直面）
【図１】
2010160760.tif 000003
【図２】
2010160760.tif 000004
【図３】
2010160760.tif 000005
【図４】
2010160760.tif 000006
【図５】
2010160760.tif 000007
【図６】
2010160760.tif 000008
【図７】
2010160760.tif 000009
【図８】
2010160760.tif 000010
【図９】
2010160760.tif 000011
【図１０】
2010160760.tif 000012
【図１１】
2010160760.tif 000013
【図１２】
2010160760.tif 000014
【図１３】
2010160760.tif 000015
【図１４】
2010160760.tif 000016
【図１５】
2010160760.tif 000017
【図１６】
2010160760.tif 000018
【図１７】
2010160760.tif 000019